(57)【要約】本発明の目的は、複数の異なるタイミングで編糸を供給可能なように複数の係合箇所を有し、ストッパ等に当接するときは連行ピンとの係合を解除可能なヤーンキャリアを提供することである。連行ピン２が中央寄りの係合箇所３ａ，３ｂで係合するときは、ノーマルキャリアとして、キャリッジによって編成動作を行う編針に掛るように編糸を供給する。連行ピン２が移動方向に対して後方寄りの係合箇所４ａ，４ｂで係合するときは、インレイキャリアとして、キャリッジによって編成動作を行う編針に掛らないように、編成動作に先行して編糸を供給する。係合解除部材５ａ，５ｂの突出部６ａ，６ｂがストッパなどに当接して押圧されると、係合解除部材５ａ，５ｂは後退し、傾斜部７ａ，８ａ；７ｂ，８ｂが係合箇所３ａ，４ａ；３ｂ，４ｂで係合している連行ピン２を押上げ、係合を解除する。
2004076732.tif 000002
【特許請求の範囲】
【請求項１】
横編機の針床に並設される編針に編糸を供給するために用いられ、針床の長手方向に平行な糸道レールに沿って移動可能で、キャリッジから突出するピンと係合可能であり、ピンが係合するとキャリッジに連行される横編機のヤーンキャリアにおいて、
ピンとの係合は、移動方向に間隔をあけて複数箇所で可能であり、
突出部と該複数の斜面部とを有し、突出部はキャリッジに連行される移動方向の前方に突出可能で、突出部が該前方側からの押圧力を受けて後退すると、該複数の斜面部で該複数箇所のいずれかでのピンの係合を解除するように変位可能な係合解除部材を含むことを特徴とする横編機のヤーンキャリア。
【請求項２】
前記ピンと係合する複数箇所は、
編成動作を行う編針に掛るように編糸を供給可能なノーマルキャリアとしての係合箇所と、
編成動作を行う編針に掛らないように編糸を供給可能なインレイキャリアとしての係合箇所とを含むことを特徴とする請求項１記載の横編機のヤーンキャリア。
【請求項３】
前記係合解除部材は、前記キャリッジの往復移動に対応して、前記前方側が前記糸道レールの一方側および他方側となるような対をなすように、それぞれ設けられることを特徴とする請求項１または２記載の横編機のヤーンキャリア。
【請求項４】
前記係合解除部材の突出部が前記前方側に突出するように付勢するばねをさらに含むことを特徴とする請求項１〜３のいずれかに記載の横編機のヤーンキャリア。
【発明の詳細な説明】
【技術分野】  本発明は、キャリッジの移動で編地を編成する際に、キャリッジに連行されて編糸を供給する横編機のヤーンキャリアに関する。
【背景技術】  従来から、典型的な横編機では、多数の編針を並設する針床の長手方向にキャリッジを往復移動させて編地を編成している。キャリッジには、編針に編成動作を行わせる編成カムが備えられる。編成動作を行う編針には、キャリッジが連行するヤーンキャリアから編糸を供給させる。少なくとも前後の針床を備える横編機では、前後の針床から進出する編針の先端が対向する歯口に臨むように、歯口の上方に糸道レールが架設され、ヤーンキャリアは糸道レールに垂下され、糸道レールに沿って移動する。キャリッジは、前後の針床にそれぞれ設けられ、糸道レールを跨ぐブリッジで連結される。キャリッジにヤーンキャリアを連行させるピンは、ブリッジから出没可能であり、突出状態でヤーンキャリアと係合する。ピンとヤーンキャリアとの係合位置は、通常、編成カムによって編針が編成運動を行い、編針の先端がいったん歯口に進出してから後退するタイミングで、ヤーンキャリアから編糸が供給されるような位置となるように設定される。
通常のタイミングで編糸を供給するヤーンキャリアと、通常のタイミングよりも早く編糸を供給して編針に掛らないようにするヤーンキャリアとを併用すると、インレイ編成が可能となる（たとえば、特開昭５５−１４８２５６号公報参照）。特開昭５５−１４８２５６号公報では、第５図〜第９図に示されるインレイ編成用のヤーンキャリアに相当する給糸部材は、第４図に示される通常の編地編成用の給糸部材とは異なる形状を有する。形状の違いは、給糸部材が給糸位置に対して異なる位置でピンと係合して、タイミングをずらして編糸の供給を行うためである。通常の編成用の給糸部材とインレイ編成用の給糸部材とは、歯口で編糸を供給する給糸部材としての先端位置も異ならせている。
キャリッジによって連行されるヤーンキャリアは、ピンの引上げによって係合を解除し、移動を停止させることができ、編地を編成するコースの途中で、ヤーンキャリアを交換して、編糸を変えて編地を編成することができる。キャリッジが編み幅の端部まで移動するときは、糸道レールにストッパを設置しておき、ヤーンキャリアがストッパに当接すると、斜面などでピンを押上げて、ピンとの係合を機械的に解除可能になっている。特開昭５５−１４８２５６号公報では、第４図に示される通常編成用の給糸部材に対しては、ストッパに設けられる斜面に係合箇所に係合しているピンの先端が乗り上げて係合が解除される構成が示されている。第５図〜第９図に示されるインレイ編成用の給糸部材では、給糸部材に設けられる切換片を相対的に前後に変位可能としておき、切換片の先端がストッパに当接すると、切換片が後退し、切換片に形成されている斜面がピンの先端を係合箇所から押上げて係合が解除される構成が開示されている。
特開昭５５−１４８２５６号公報に開示されているインレイ編成用の給糸部材は、インレイ編成専用であり、キャリッジに搭載される編成カムの作用で編針が編成動作を行う位置に対して編糸が掛らないように供給するタイミングと、歯口で編糸を供給する位置とが通常編成用の給糸部材とは異なっている。このような通常編成用の給糸部材とインレイ編成用の給糸部材とを併用して編地を編成する方法は、編み幅がほぼ一定のときには効率良くインレイ編地を編成することができる。しかしながら、編み幅が変化するときには、良好なインレイ編地を編成することができなくなる。すなわち、編み幅が変化するような場合、インレイ編成のコースにおいても、端部をタックで編針に掛けておく方が良好な編地を編成することができる。しかしながら、インレイ編成の専用給糸部材であると、編成カムによる編針の編成動作に対する編糸の供給タイミングが通常の編地編成用の給糸部材とは異なるので、タックのような編成用のタイミングに含まれる編針の編成動作に対して編糸を供給することはできない。
【発明の開示】
本発明の目的は、複数の異なるタイミングで編糸を供給可能なように複数の係合箇所を有し、ストッパ等に当接するときはピンとの係合を解除可能な横編機のヤーンキャリアを提供することである。
本発明は、横編機の針床に並設される編針に編糸を供給するために用いられ、針床の長手方向に平行な糸道レールに沿って移動可能で、キャリッジから突出するピンと係合可能であり、ピンが係合するとキャリッジに連行される横編機のヤーンキャリアにおいて、
ピンとの係合は、移動方向に間隔をあけて複数箇所で可能であり、
突出部と該複数の斜面部とを有し、突出部はキャリッジに連行される移動方向の前方に突出可能で、突出部が該前方側からの押圧力を受けて後退すると、該複数の斜面部で該複数箇所のいずれかでのピンの係合を解除するように変位可能な係合解除部材を含むことを特徴とする横編機のヤーンキャリアである。
また本発明で、前記ピンと係合する複数箇所は、
編成動作を行う編針に掛るように編糸を供給可能なノーマルキャリアとしての係合箇所と、
編成動作を行う編針に掛らないように編糸を供給可能なインレイキャリアとしての係合箇所とを含むことを特徴とする。
また本発明で、前記係合解除部材は、前記キャリッジの往復移動に対応して、前記前方側が前記糸道レールの一方側および他方側となるような対をなすように、それぞれ設けられることを特徴とする。
また本発明は、前記係合解除部材の突出部が前記前方側に突出するように付勢するばねをさらに含むことを特徴とする。
【図面の簡単な説明】  本発明の目的、特色、および利点は、下記の詳細な説明と図面とからより明確になるであろう。
図１は、本発明の実施の一形態であるヤーンキャリア１の概略的な構成を示す正面図である。
図２は、図１のヤーンキャリア１が糸道レール２２に沿って移動し、ストッパ２３に当接して停止している状態を示す正面図である。
図３は、図１のヤーンキャリア１が複数の糸道レール２２に装着され、ローラ１６，１７，１８，１９によって移動可能に支持されている構成を示す右側面断面図である。
図４は、図１のヤーンキャリア１の本体１５を構成する部品を示す正面図である。
図５は、図１のヤーンキャリア１で、係合解除部材５ａ，５ｂとスペーサ３１との相対的な位置関係を示す図である。
図６は、図１のヤーンキャリア１を用いて好適に編成可能な編地の一例としての靴下４０を示す図である。
【発明を実施するための最良の形態】  以下図面を参考にして本発明の好適な実施例を詳細に説明する。
図１は、本発明の実施の一形態であるヤーンキャリア１の概略的な構成を示す。本実施形態のヤーンキャリア１は、横編機の針床の長手方向に沿って往復移動可能であり、図示を省略しているキャリッジのブリッジ部などから出没する連行ピン２と係合可能な複数の係合箇所３ａ，３ｂ；４ａ，４ｂを有する。ヤーンキャリア１はキャリッジに連行されると図の左方または右方に往復移動し、右方への移動時に使用する係合箇所３ａ，４ａと、左方への移動時に使用する係合箇所３ｂ、４ｂとを、中央に対して対称な位置に有する。連行ピン２が中央寄りの係合箇所３ａ，３ｂで係合するときは、ノーマルキャリアとして機能し、キャリッジによって編成動作を行う編針に掛るように編糸を供給する。連行ピン２が移動方向に対して後方寄りの係合箇所４ａ，４ｂで係合するときは、インレイキャリアとして機能し、キャリッジによって編成動作を行う編針に掛らないように、編成動作に先行して編糸を供給する。連行ピン２を係合させる係合箇所３ａ，３ｂ；４ａ，４ｂによってノーマルキャリアとインレイキャリアとを切換えることができるので、インレイ編成の両端を編針にタックするような編成を容易に行うことができる。
各係合箇所３ａ，３ｂ；４ａ，４ｂで係合する連行ピン２の係合を解除するために、係合解除部材５ａ，５ｂが設けられる。係合解除部材５ａ，５ｂは、キャリッジの往復移動に対応して、図の右方移動時に動作する係合解除部材５ａと、左方移動時に動作する係合解除部材５ｂとが対をなすように設けられる。係合解除部材５ａは、図でヤーンキャリア１の右方に突出する突出部６ａと、係合箇所３ａ，４ａでの連行ピン２の係合を解除する傾斜部７ａ，８ａとをそれぞれ有する。係合解除部材５ｂは、図でヤーンキャリア１の左方に突出する突出部６ｂと、係合箇所３ｂ，４ｂでの連行ピン２の係合を解除する傾斜部７ｂ，８ｂとをそれぞれ有する。
このような係合解除部材５ａ，５ｂはたとえば金属板で形成され、図の左右方向に間隔をあけて一対の長孔９ａ，１０ａ；９ｂ，１０ｂがそれぞれ設けらる。係合解除部材５ａの長孔９ａと係合解除部材５ｂの長孔１０ｂとは重なる位置に配置され、支持ピン１１ａが挿通される。また、係合解除部材５ｂの長孔９ｂと係合解除部材５ａの長孔１０ａとは重なる位置に配置され、支持ピン１１ｂによって挿通される。係合解除部材５ａ，５ｂは、長孔９ａ，１０ａ；９ｂ，１０ｂの両端が支持ピン１１ａ，１１ｂに当接するまでの範囲で、ヤーンキャリア１に対して相対的に変位可能である。係合解除部材５ａ，５ｂで両長孔９ａ，１０ａ；９ｂ，１０ｂの中間の位置には、長孔１２ａ，１２ｂがそれぞれ設けられる。係合解除部材５ａの長孔１２ａには、図の右側にばね受け部１３ａが部分的な折曲げ加工で形成される。係合解除部材５ｂの長孔１２ｂには、図の左側にばね受け部１３ｂが部分的な折曲げ加工で形成される。ばね受け部１３ａ，１３ｂの先端は、後述するスペーサの長孔に挿入され、コイルばね１４ａ，１４ｂの一端を受ける。
連行ピン２との係合箇所３ａ，３ｂ；４ａ，４ｂを有し、変位可能な係合解除部材５ａ，５ｂを備えるヤーンキャリア１の本体１５には、ローラ１６，１７，１８，１９が設けられ、後述するような糸道レール２２に対し、走行可能なように支持することができる。本体１５からはアーム２０が延出され、アーム２０の先端には編糸を歯口に供給するための給糸口２１が設けられる。
図２は、本実施形態のヤーンキャリア１が糸道レール２２に沿って移動し、ストッパ２３に当接して停止している状態を示す。たとえば連行ピン２が係合箇所３ｂ，４ｂのいずれかで係合して、ヤーンキャリア１を図の左方に移動させると、係合解除部材５ｂの突出部６ｂがストッパ２３の右側面に当接する。連行ピン２がさらに左方に移動しようとすると、突出部６ｂは押込まれ、係合解除部材５ｂは本体１５に対して右方に相対な変位を行う。この相対変位によって、傾斜部７ｂ，８ｂは、係合箇所３ｂ，４ｂで係合している連行ピン２の先端を押上げ、係合箇所３ｂ，４ｂから外す。連行ピン２は、ばね付勢で下方に突出しているので、ばねの付勢力よりも大きい力で傾斜部７ｂ，８ｂから押上げられれば、ばねの付勢力に抗して係合箇所３ｂ，４ｂから押上げられる。連行ピン２は、係合箇所３ｂ，４ｂから押上げられても左方への移動を続けるので、連行ピン２は係合箇所３ｂ，４ｂから離れて係合が解除される。ヤーンキャリア１が右方でストッパ２３と当接する場合も、係合解除部材５ａによって同様に連行ピン２の係合を解除する動作が行われる。
なお、ヤーンキャリア１にはマグネットが装着されている。係合箇所３ａ，３ｂ；４ａ，４ｂで連行ピン２の係合を解除しても、コイルばね１４ａ，１４ｂによる付勢力よりもマグネットによる磁気吸引力に基づく糸道レール２２への摺動抵抗が強くなるようにされているので、ヤーンキャリア１は現位置を保つ。このため、インレイキャリアとしての係合箇所４ａ，４ｂで係合していて係合が解除された連行ピン２は、キャリッジの移動が続けられると、ノーマルキャリアとしての係合箇所３ａ，３ｂに到達する。しかし、係合解除部材５ａ，５ｂの傾斜部７ａ，７ｂによって係合箇所３ａ，３ｂが閉じられているので、連行ピン２は係合箇所３ａ，３ｂに係合しない。
なお、同一の糸道レール２２には、長手方向に複数のヤーンキャリア１を配置することができる。複数のヤーンキャリア１は、連行ピン２の突出で係合箇所３ａ，３ｂ；４ａ，４ｂと係合させて１つを選択する。また、キャリッジに設けられる編成カムは、１回の移動で複数回の編成動作を行うように、複数組設けることもできる。複数組の編成カムでは、各組がそれぞれヤーンキャリア１を連行し、編糸を供給させる。したがって、糸道レール２２に設置されるストッパ２３は、複数のヤーンキャリア１の移動を停止させる必要がある。本実施形態のヤーンキャリア１は、連行ピン２と係合しているヤーンキャリア１よりもストッパ２３側に他のヤーンキャリア１が存在しているときには、まず先端のヤーンキャリア１がストッパ２３に当接して停止する。以下、順次的にヤーンキャリア１が先行するヤーンキャリア１と当接して停止し、ストッパ２３との当接の代りに、先行するヤーンキャリア１との当接で連行ピン２との係合を解除して停止することができる。
図３は、複数の糸道レール２２に、複数のヤーンキャリア１が装着され、ローラ１６，１７，１８，１９によって移動可能に支持されている断面構成を示す。１つのヤーンキャリア１についてのみアーム２０および給糸口２１を示しているけれども、他のヤーンキャリア１についても基本的に同様に、アーム２０の先端に設けられる給糸口２１は歯口２４に臨んで編糸を供給する。編糸を供給する位置は、前針床と後針床とからの編針２５，２６が進出してフックで編糸を捕捉可能な位置である。連行ピン２がノーマルキャリア用の係合箇所３ａ，３ｂに係合しているときは、編針２５，２６が歯口２４へ進出して引込むタイミングで編糸が給糸口２１から供給されるので、編針２５，２６に編糸を掛けて編成を行うことができる。連行ピン２がインレイキャリア用の係合箇所４ａ，４ｂに係合しているときは、編針２５，２６が歯口２４へ進出するのに先行するタイミングで編糸が給糸口２１から供給されるので、編糸は編針２５，２６の下に入り、編針２５，２６に編糸を掛けないようにすることができる。
図４は、本実施形態のヤーンキャリア１の本体１５を構成する部品を示す。ベース３０は、たとえば金属板で形成され、アーム２０と一体化され、図の背面側に配置される。ベース３０の表面には、たとえば合成樹脂で形成されるスペーサ３１が装着される。スペーサ３１には、コイルばね１４ａ，１４ｂを収納する長孔３２ａ，３２ｂが中央寄りの位置にそれぞれ形成される。長孔３２ａ，３２ｂの両側には、図１に示す支持ピン１１ａ，１１ｂを挿通させる支持孔３３ａ，３３ｂがそれぞれ設けられる。
スペーサ３１の表面側には、係合解除部材５ａ，５ｂが重ねて配置される。たとえば係合解除部材５ａが背面側となり、ばね受け部１３ａは、スペーサ３１の長孔３２ａに挿入され、コイルばね１４ａの一端を受ける。コイルばね１４ａの他端は、中央寄りの位置で、長孔３２ａの端部に当接する。このようにしてコイルばね１４ａは、係合解除部材５ａを図の右方に付勢する。係合解除部材５ａの表面側には、係合解除部材５ｂが配置される。係合解除部材５ｂのばね受け部１３ｂは、係合解除部材５ａの長孔１２ａを通ってスペーサ３１の長孔３２ｂに挿入され、コイルばね１４ｂの一端を受ける。コイルばね１４ｂの他端は、中央寄りの位置で、長孔３２ｂの端部に当接する。このようにしてコイルばね１４ｂは、係合解除部材５ｂを図の左方に付勢する。本体１５の表面には、カバー３５が被せられる。
図５は、係合解除部材５ａ，５ｂとスペーサ３１との相対的な位置関係を示す。ただし、スペーサ３１の長孔３２ａ，３２ｂは省略する。（ａ）は図１に示すような連行ピン２と係合箇所３ａ，４ａ；３ｂ，４ｂで係合して連動可能な状態、（ｂ）は図２に示すようなストッパ２３などとの当接による係合解除状態をそれぞれ示す。（ａ）に示すような係合可能な状態では、係合解除部材５ａ，５ｂの突出部６ａ，６ｂはそれぞれ突出し、斜面部７ａ，８ａ；７ｂ、８ｂが係合箇所３ａ，４ａ；３ｂ、４ｂから離れていて、連行ピン２による係合が可能な状態になっている。（ｂ）に示すように、たとえば左方に移動中、一方の係合解除部材５ｂの突出部６ｂがストッパ２３や他のヤーンキャリア１の側面に当接すると、係合解除部材５ｂは相対的に右方に移動し、斜面部７ｂ，８ｂが係合箇所３ｂ，４ｂにかかるようになる。係合箇所３ｂ，４ｂのいずれかに連行ピン２が係合していれば、連行ピン２の先端が斜面部７ｂ，８ｂによって押上げられ、係合が解除される。
左方への移動で他方の係合解除部材５ａは、変位しないので、一方の係合解除部材５ａの尾部の突出量を、最も後退する状態でも他方の係合解除部材５ａの突出部６ａの先端よりは右方への突出しないようにしておけば、一対の係合解除部材５ａ，５ｂの全体では見かけ上、右方への突出量が変化しないようにすることができる。一対の係合解除部材５ａ，５ｂを一体化することは可能であるけれども、一体化すると、一方の突出部６ｂがストッパ２３などに当接して後退すると、他方の突出部６ａはさらに突出することになり、確実に係合解除部材を中央位置に戻せるような機構を設ける必要がある。本実施形態では、一対の係合解除部材５ａ，５ｂに分けることで、係合解除の動作を確実かつシンプルに実現することができる。
また実施形態のヤーンキャリア１では、係合解除部材５ａ，５ｂの突出部６ａ，６ｂが前方側に突出するように付勢するコイルばね１４ａ，１４ｂをさらに含んでいるけれども、コイルばね１４ａ，１４ｂなどのばね付勢を行わないようにすることもできる。係合解除部材５ａ，５ｂが円滑に移動可能であれば、突出部６ａ，６ｂがストッパ２３や他のヤーンキャリア１などに当接しない限り、係合解除部材５ａ，５ｂを連行ピン２で移動させることができる。係合箇所３ａ，４ａ；３ｂ，４ｂに傾斜部７ａ，８ａ；７ｂ，８ｂがかかっていても、連行ピン２の先端で傾斜部７ａ，８ａ；７ｂ，８ｂを押圧し、係合解除部材５ａ，５ｂを突出部６ａ，６ｂ側に移動させて、係合箇所３ａ，４ａ；３ｂ，４ｂに傾斜部７ａ，８ａ；７ｂ，８ｂがかからない状態とすることができる。
ただし、本実施形態では、コイルばね１４ａ，１４ｂによって、係合解除部材５ａ，５ｂの突出部６ａ，６ｂが前方側に突出するように付勢する。これによって、突出部６ａ，６ｂがストッパ２３などに当接しない限り、常に突出部６ａ，６ｂを突出させ、傾斜部７ａ，８ａ；７ｂ，８ｂを係合箇所３ａ，４ａ；３ｂ，４ｂにかからないようにしておいて、連行ピン２の係合が確実に行えるようにしておくことができる。
図６は、本実施形態のヤーンキャリア１を用いて好適に編成可能な編地の一例を示す。（ａ）は、完成した編地としての靴下４０を示す。靴下４０には、かかと部４１があり、立体的に編成する必要がある。（ｂ）は、（ａ）の靴下４０を横編機の前後の針床に分けて筒状に編成する編地を示す。たとえば後針床で編成する後針床編成編地４３に編み幅変更部を設けてかかと部４１を形成する。前針床で編成する前針床編成編地４５は、ほぼ一定の編み幅で編成する。かかと部４１でインレイ編みを行う際には、単に編糸を編地中に通すだけではなく、編み幅の両側で編針にタックしておくことが好ましい。かかと部４１は、引き返し編みにより編成する。
本実施形態のヤーンキャリア１を用いれば、連行ピン２を係合箇所３ａ，３ｂに係合させて編み始めのタックを行い、連行ピン２を係合箇所４ａ，４ｂに係合させてインレイ編みを行うことができる。編み始めの係合箇所３ａ，４ａ；３ｂ，４ｂの切換は、いったん移動したキャリッジを後退させて、再度移動させて行う。
なお、歯口２４に対して給糸口２１の位置を変えることも、たとえば本件出願人が特開平１１−６１６０６号公報で開示しているようなヤーンキャリアの給糸部の位置を編針の先端部に近接させるための構成を応用することなどによって、実現は可能である。
以上のように本実施形態の横編機のヤーンキャリア１は、横編機の針床に並設される編針２５，２６に編糸を供給するために用いられ、針床の長手方向に平行な糸道レール２２に沿って移動可能で、キャリッジから突出する連行ピン２と係合可能である。ヤーンキャリア１は、連行ピン２が係合するとキャリッジに連行されて移動する。連行ピン２との係合は、移動方向に間隔をあけて設けられる複数の係合箇所３ａ，４ａ；３ｂ，４ｂで可能であるので、係合箇所３ａ，４ａ；３ｂ，４ｂによって編糸を供給するタイミングが異なるようにすることができる。このような給糸のタイミングの変更は、ノーマルキャリアとインレイキャリアとの使い分けばかりではなく、種々の編地の編成や、端糸の編地中への吸収などに利用することができる。ヤーンキャリア１には係合解除部材５ａ，５ｂが含まれ、係合解除部材５ａ，５ｂは、突出部６ａ，６ｂと複数の斜面部７ａ，８ａ；７ｂ，８ｂとを有する。係合解除部材５ａ，５ｂの突出部６ａ，６ｂはキャリッジに連行される移動方向の前方に突出可能で、突出部６ａ，６ｂがその前方側からの押圧力を受けて後退すると、複数の斜面部７ａ，８ａ；７ｂ，８ｂのいずれかでの連行ピン２の係合を解除するように変位可能である。糸道レール２２の途中にストッパ２３などを設置しておくと、係合解除部材５ａ，５ｂの突出部６ａ，６ｂが当接して、斜面部７ａ，８ａ；７ｂ，８ｂで連行ピン２の係合を解除することができる。
本発明は、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【産業上の利用可能性】  以上のように本発明によれば、横編機のヤーンキャリアは、横編機の針床に並設される編針に編糸を供給するために用いられ、針床の長手方向に平行な糸道レールに沿って移動可能で、キャリッジから突出するピンと係合可能であり、ピンが係合するとキャリッジに連行されて移動する。ピンとの係合は、移動方向に間隔をあけて複数箇所で可能であるので、係合箇所によって編糸を供給するタイミングが異なるようにすることができる。ヤーンキャリアには係合解除部材が含まれ、係合解除部材は、突出部と複数の斜面部とを有する。係合解除部材の突出部はキャリッジに連行される移動方向の前方に突出可能で、突出部がその前方側からの押圧力を受けて後退すると、複数の斜面部のいずれかでのピンの係合を解除するように変位可能である。糸道レールの途中にストッパなどを設置しておくと、係合解除部材の突出部が当接して、斜面部でピンの係合を解除することができる。
また本発明によれば、ピンと係合する複数箇所は、編成動作を行う編針に掛るように編糸を供給可能なノーマルキャリアとしての係合箇所と、編成動作を行う編針に掛らないように編糸を供給可能なインレイキャリアとしての係合箇所とを含むので、インレイ編成だけでなく、通常の編成にも使用することができる。
また本発明によれば、係合解除部材は、キャリッジの往復移動に対応して、前方側が糸道レールの一方側および他方側となるような対をなすように、それぞれ設けられるので、キャリッジの移動方向に対応する側の係合解除部材のみがストッパなどに当接して変位し、ピンの係合を解除することができる。片側ずつ突出する係合解除部材を対をなすように設けるので、一方の突出部の反対側は他方の突出部ほど突出させる必要はなく、一方の突出部がストッパなどに当接して後退しても、反対側の突出を他方の突出部の突出している範囲内に抑えることができる。
また本発明によれば、ばねによって、係合解除部材の突出部が前方側に突出するように付勢するので、突出部がストッパなどに当接しない限り、突出部を突出させ、傾斜部でピンの係合を解除しないようにして連行ピンを確実に係合させることができる。
【図１】
2004076732.tif 000003
【図２】
2004076732.tif 000004
【図３】
2004076732.tif 000005
【図４】
2004076732.tif 000006
【図５】
2004076732.tif 000007
【図６】
2004076732.tif 000008
【手続補正書】
【提出日】平成16年10月29日(2004.10.29)
【手続補正００１】
【補正対象書類名】特許請求の範囲
【補正対象項目名】請求項１
【補正方法】変更
【補正の内容】
【請求項１】
横編機の針床に並設される編針に編糸を供給するために用いられ、針床の長手方向に平行な糸道レールに沿って往復移動可能で、キャリッジから突出するピンと係合可能であり、ピンが係合するとキャリッジに連行される横編機のヤーンキャリアにおいて、
ピンとの係合箇所は、該往復移動の一方および他方の各方向に間隔をあけてそれぞれ複数設けられ、
該ピンは該複数の係合箇所のうちの１箇所に対して選択的にそれぞれ係合可能であり、
該往復移動の一方および他方の各方向毎に設けられ、突出部と該複数箇所に対応して設けられる該複数の斜面部とを有し、突出部はキャリッジに連行される移動方向の前方に突出可能で、突出部が該前方側からの押圧力を受けて後退すると、該複数の斜面部で該複数箇所のピンの係合を解除するように変位可能な係合解除部材を含むことを特徴とする横編機のヤーンキャリア。
【手続補正００２】
【補正対象書類名】明細書
【補正対象項目名】０００３
【補正方法】変更
【補正の内容】
【０００３】
本発明は、横編機の針床に並設される編針に編糸を供給するために用いられ、針床の長手方向に平行な糸道レールに沿って往復移動可能で、キャリッジから突出するピンと係合可能であり、ピンが係合するとキャリッジに連行される横編機のヤーンキャリアにおいて、
ピンとの係合箇所は、該往復移動の一方および他方の各方向に間隔をあけてそれぞれ複数設けられ、
該ピンは該複数の係合箇所のうちの１箇所に対して選択的にそれぞれ係合可能であり、
該往復移動の一方および他方の各方向毎に設けられ、突出部と該複数箇所に対応して設けられる該複数の斜面部とを有し、突出部はキャリッジに連行される移動方向の前方に突出可能で、突出部が該前方側からの押圧力を受けて後退すると、該複数の斜面部で該複数箇所のピンの係合を解除するように変位可能な係合解除部材を含むことを特徴とする横編機のヤーンキャリアである。
また本発明で、前記ピンと係合する複数箇所は、
編成動作を行う編針に掛るように編糸を供給可能なノーマルキャリアとしての係合箇所と、
編成動作を行う編針に掛らないように編糸を供給可能なインレイキャリアとしての係合箇所とを含むことを特徴とする。
また本発明で、前記係合解除部材は、前記キャリッジの往復移動に対応して、前記前方側が前記糸道レールの一方側および他方側となるような対をなすように、それぞれ設けられることを特徴とする。
また本発明は、前記係合解除部材の突出部が前記前方側に突出するように付勢するばねをさらに含むことを特徴とする。
【図面の簡単な説明】
本発明の目的、特色、および利点は、下記の詳細な説明と図面とからより明確になるであろう。
図１は、本発明の実施の一形態であるヤーンキャリア１の概略的な構成を示す正面図である。
図２は、図１のヤーンキャリア１が糸道レール２２に沿って移動し、ストッパ２３に当接して停止している状態を示す正面図である。
図３は、図１のヤーンキャリア１が複数の糸道レール２２に装着され、ローラ１６，１７，１８，１９によって移動可能に支持されている構成を示す右側面断


【手続補正００３】
【補正対象書類名】明細書
【補正対象項目名】００１１
【補正方法】変更
【補正の内容】
【００１１】
拘束されない。さらに、特許請求の範囲に属する変形や変更は全て本発明の範囲内のものである。
【産業上の利用可能性】
以上のように本発明によれば、横編機のヤーンキャリアは、横編機の針床に並設される編針に編糸を供給するために用いられ、針床の長手方向に平行な糸道レールに沿って移動可能で、キャリッジから突出するピンと係合可能であり、ピンが係合するとキャリッジに連行されて移動する。ピンとの係合は、往復の移動の一方および他方の各方向に間隔をあけてそれぞれ複数設けられる係合箇所のうちの１つに対して選択的に可能であるので、係合箇所によって編糸を供給するタイミングが異なるようにすることができる。ヤーンキャリアには係合解除部材が含まれ、係合解除部材は、往復移動の一方および他方の各方向毎に設けられ、突出部と複数の斜面部とを有する。各係合解除部材の突出部はキャリッジに連行される移動方向の前方に突出可能で、突出部がその前方側からの押圧力を受けて後退すると、複数の斜面部のいずれでも、対応する係合箇所でのピンの係合を解除するように変位可能である。糸道レールの途中にストッパなどを設置しておくと、係合解除部材の突出部が当接して、斜面部でピンの係合を解除することができる。
また本発明によれば、ピンと係合する複数箇所は、編成動作を行う編針に掛るように編糸を供給可能なノーマルキャリアとしての係合箇所と、編成動作を行う編針に掛らないように編糸を供給可能なインレイキャリアとしての係合箇所とを含むので、インレイ編成だけでなく、通常の編成にも使用することができる。
また本発明によれば、係合解除部材は、キャリッジの往復移動に対応して、前方側が糸道レールの一方側および他方側となるような対をなすように、それぞれ設けられるので、キャリッジの移動方向に対応する側の係合解除部材のみがストッパなどに当接して変位し、ピンの係合を解除することができる。片側ずつ突出する係合解除部材を対をなすように設けるので、一方の突出部の反対側は他方の突出部ほど突出させる必要はなく、一方の突出部がストッパなどに当接して後退しても、反対側の突出を他方の突出部の突出している範囲内に抑えることができる。
また本発明によれば、ばねによって、係合解除部材の突出部が前方側に突出するように付勢するので、突出部がストッパなどに当接しない限り、突出部を突出




【国際調査報告】
2004076732.tif 000009
2004076732.tif 000010
2004076732.tif 000011
2004076732.tif 000012